(57)【要約】【課題】  雨水の一部を一時的にマンホール内の水貯溜袋に貯溜し、雨水を再利用すると共に水貯溜袋内が満杯となったときにはオーバーフロー放出口から順次雨水を放出させて、大雨時に給排用排管への急激な排水を避け、マンホール内でのオーバーフローを容易にし、排水のマンホール内での直流を和らげることができる雨水の仮溜めを兼ねたマンホールを提供する。【解決手段】  マンホール蓋２に雨水取り入れ用の複数の小孔７が形成され、水貯溜袋８の上端開口枠９を断面D字状として該開口枠とマンホール壁との間に間隙１０が形成され、水貯溜袋内の雨水をマンホール内にオーバーフローするための放出口１１が前記間隙に指向されているようにした雨水の仮溜めを兼ねたマンホール。【選択図】        図２
2007198082.tif 000002
【特許請求の範囲】
【請求項１】
マンホールの最上部位のマンホール蓋受枠にマンホール蓋を載置し、マンホール内で下位に配置された受台上に水貯溜袋を載置し、該水貯溜袋の上端開口枠側をマンホール上位の壁に取付け自在としたマンホールを水の貯溜に兼用したものにおいて、マンホール蓋に雨水取り入れ用の複数の小孔を形成し、前記水貯溜袋の上端開口枠を断面D字状として該開口枠とマンホール壁との間に間隙を形成し、水貯溜袋内の雨水をマンホール内にオーバーフローするための放出口を前記間隙に指向させたことを特徴とする雨水の仮溜めを兼ねたマンホール。
【発明の詳細な説明】
【技術分野】
【０００１】
マンホールは都内だけでもその設置台数が約５０万台あり、その各マンホールが３ｍ３ないし１０ｍ３の容積を有していることから、地下には大容量の空間が形成されている。本発明は、この大容量の地下空間を大雨時の一時貯溜に利用するものであって、雨水の仮溜めを兼ねたマンホールに関するものである。
【背景技術】
【０００２】
従来，マンホールの最上部位のマンホール蓋受枠にマンホール蓋を載置し、マンホール内で下位に配置された受台上に水貯溜袋を載置し、該水貯溜袋の上端開口枠側をマンホール上位の壁に取付け自在としたマンホールを水の貯溜に兼用し、災害時等に必要とする水を地中に埋設されたマンホール内に貯水しておく水溜め兼用マンホールがある（例えば特許文献１参照。）。
【０００３】
【特許文献１】特開２００５−２６４６５９号公報
【発明の開示】
【発明が解決しようとする課題】
【０００４】
ところで、前記従来の技術は、水貯溜袋に保存する水を貯水し、該保存された水を侵害時等に防火用の水として利用したり、緊急時の飲み水として使用するものであり、水の長期保存の為に防水加工，撥水加工等の施しが必要であった。また、雨水を貯溜して再利用するものではなく、大雨時に大量の雨水がマンホール内の給排用排管へ急激に排水される虞があった。
【０００５】
本発明は、従来の技術の有するこのような問題点に鑑みてなされたものであり、その目的とするところは、雨水の一部を一時的にマンホール内の水貯溜袋に貯溜し、雨水を再利用すると共に水貯溜袋内が満杯となったときにはオーバーフロー放出口から順次雨水を放出させて、大雨時に給排用排管への急激な排水を避け、マンホール内でのオーバーフローを容易にし、排水のマンホール内での直流を和らげることができる雨水の仮溜めを兼ねたマンホールを提供しようとするものである。
【課題を解決するための手段】
【０００６】
上記目的を達成するために、本発明における雨水の仮溜めを兼ねたマンホールは、マンホール蓋に雨水取り入れ用の複数の小孔を形成し、水貯溜袋の上端開口枠を断面D字状として該開口枠とマンホール壁との間に間隙を形成し、水貯溜袋内の雨水をマンホール内にオーバーフローするための放出口を前記間隙に指向させたことを特徴とするものである。
【発明の効果】
【０００７】
以上のように、マンホール蓋に雨水取り入れ用の複数の小孔を形成し、水貯溜袋の上端開口枠を断面D字状として該開口枠とマンホール壁との間に間隙を形成し、水貯溜袋内の雨水をマンホール内にオーバーフローするための放出口を前記間隙に指向させたので、雨水の一部を一時的にマンホール内の水貯溜袋に貯溜し、災害時の防火水等で雨水を再利用できると共に水貯溜袋内が満杯となったときにはオーバーフロー放出口から順次雨水を放出させて、大雨時に給排用排管への急激な排水を避け、マンホール内でのオーバーフローを容易にし、排水のマンホール内での直流を和らげることができる雨水の仮溜めを兼ねたマンホールとなる。
【発明を実施するための最良の形態】
【０００８】
図１及び図２は本発明に係る雨水の仮溜めを兼ねたマンホールの実施例に関するもので、図１は雨水の仮溜めを兼ねたマンホールを設置する分解説明図、図２は雨水の仮溜めを兼ねたマンホールの設置概略図である。
【０００９】
図において、１は既存のマンホールであり、該マンホ―ル１の最上部位にはマンホール蓋２を載置するマンホール蓋受枠３が結合され、マンホ―ル１の最下部位には複数の給排用排管４，４，…を接続する接続管を有するインバート５が結合されている。そして、前記マンホール１の内周壁には多数段の足掛具６，６，…が配設されている。
【００１０】
前記マンホール蓋２には雨水取り入れ用の複数の小孔７，７，…が形成され、該マンホール蓋２は前記マンホール蓋受枠３に載置されて、その表面が地表面に露出されている。
【００１１】
８は水貯溜袋であり、該水貯溜袋８は雨水を貯溜するもので例えばポリエチレン製等の袋で、水貯溜袋８の上端開口側には断面D字状の開口枠９が固定バンド等で係着，接着されている。そして、水貯溜袋８はマンホール１の内空間の略四分の三の大きさであり、前記開口枠９とマンホール内壁との間に間隙１０が形成されるようにしてある。また、水貯溜袋８の上部には雨水をマンホール１内にオーバーフローするための放出口１１が前記間隙１０に指向させて形成されている。なお、前記放出口１１を前記間隙１０に指向させる蛇口としてもよい。さらに、水貯溜袋８の底部には排水弁１２が設けられ、該排水弁１２に袋８の上端開口部と連鎖するロープ１３が連結された栓１４が挿着されていて、該袋８内の雨水が不要となりマンホール１から放出する場合には、ロープ１３をマンホール１の上方から操作して排水弁１２を開放するようになっている。
【００１２】
前記断面D字状の開口枠９の周面には、マンホール蓋受枠４の下位で前記マンホール１上位の内周壁に埋め込まれたアンカー１５，１５，…で固定するためのアンカー挿入孔１６，１６，…が複数穿設されている。
【００１３】
１７は前記マンホール１の下部位のインバート５に配置される貯溜袋受台であり、該貯溜袋受台１７の上面全域には多数の孔１８，１８，…が設けられ、受台１７の側周面には前記給排用排管４，４，…の水の流れを妨げないように複数の孔１９，１９，…が形成されている。
【００１４】
以上のような構成からなる雨水の仮溜めを兼ねたマンホールであって、水貯溜袋８の底部をマンホール１の下部位のインバート５に配置された貯溜袋受台１７に載置し、該貯溜袋受台１７による嵩上げにより給排用排管４，４，…の水の流れの妨げを防止している。そして、水貯溜袋８は上端開口側の断面D字状の開口枠９に穿設されたアンカー挿入孔１６，１６，…をマンホール蓋受枠４の下位で前記マンホール１上位の内周壁に埋め込まれたアンカー１５，１５，…に係止させて固定する。この際、開口枠９と多数段の足掛具６，６，…が配設されている側のマンホール１の内周壁との間に間隙１０が形成されるようにして水貯溜袋８は設置される。また、水貯溜袋８の底部の排水弁１２に栓１４を挿着し、該栓１４に連結されたロープ１３を最上位の足掛具６に係止させ、マンホール蓋受枠３にマンホール蓋２を載置することで雨水の仮溜めを兼ねたマンホールは簡単，容易に設定することができる。
【００１５】
そして、雨水はマンホール蓋２に形成された複数の小孔７，７，…からマンホール１内に取り入れられ、水貯溜袋８に貯溜される。水貯溜袋８内が雨水で満杯となったときには水貯溜袋８の上部に形成した前記オーバーフロー放出口１１から順次その雨水が放出されるようになっている。このようにして大雨時には一時的にマンホール１内の水貯溜袋８に雨水を貯溜することにより、給排用排管４，４，…への急激な排水を避け、マンホール１内でのオーバーフローを容易にし、排水のマンホール内での直流を和らげることができる。
【００１６】
そして、貯溜された雨水はポンプ等により水貯溜袋８内から汲み上げ、災害時の防火水として利用することができる。また、雨水の水貯溜袋８内から放出もロープ１３をマンホール１の上方から操作して排水弁１２を開放することで容易に給排用排管４，４，…に排水することができて、大雨の予報があるときには水貯溜袋８内を空にして大雨への備えをすることもできる。
【図面の簡単な説明】
【００１７】
【図１】本発明の実施例に係る雨水の仮溜めを兼ねたマンホールを設置する分解説明図である。
【図２】雨水の仮溜めを兼ねたマンホールの設置概略図である。
【符号の説明】
【００１８】
１              マンホール
２              マンホール蓋
３              マンホール蓋受枠
７              小孔
８              水貯溜袋
９              開口枠
１０            間隙
１１            放出口
１７            受台
【図１】
2007198082.tif 000003
【図２】
2007198082.tif 000004